(57)【要約】      （修正有）【課題】患者の吐瀉物を容器の外に漏らさず、患者への跳ね返りも防止することができるガーグルベースンとその取付けユニットを提供する。【解決手段】ガーグルベースンは、第一容器壁１１０とそれより高い第二容器壁１２０を備え、第二容器壁１２０の上部に、「く」の字形状部を有する。取付けユニットは、「く」の字形状部１２１とその下部に取付け部を有し、取付け部により従来のガーグルベースンに取付けることで第二容器壁１２０全体を構成する。【選択図】図１
0003233363.tif 000002
【実用新案登録請求の範囲】
【請求項１】
患者の顔面に近い側の容器壁を第一容器壁とし、前記顔面のある側とは遠い反対側の容器壁を第二容器壁とし、前記第一容器壁と前記第二容器壁との間は、二つの側面にある壁である側面壁で繋がり、前記第一容器壁と前記第二容器壁と前記側面壁は底側となる底壁で繋がり、上側は開口しているガーグルベースン容器において、
前記第二容器壁の高さは前記第一容器壁の高さより高く構成されていることを特徴とするガーグルベースン。
【請求項２】
前記第二容器壁の前記第一容器壁より高さが高くなった所に、垂直状態ではなく、前記第二容器壁の上にいくほど容器の内側に向けて曲がった、「く」の字形状部を備えることで、前記患者の吐瀉物の第二容器壁外への漏れと、前記患者への跳ね返りを防止したことを特徴とする請求項１記載のガーグルベースン。
【請求項３】
前記第二容器壁の上部側となる上部構成部と、前記上部構成部の下端に取付け部とを備えたものであって、前記第二容器壁の下部側となる下部構成部の上端に前記取り付け部を取付け・取外し自在に取付けることで前記第二容器壁全体を構成することに供するためのものであることを特徴とする請求項１又は請求項２記載のガーグルベースン用の取付けユニット。

【考案の詳細な説明】
【技術分野】
【０００１】
本考案は、医療・介護現場で使用する患者の吐瀉物、その他汚物を受ける容器であるガーグルベースンとそれに使用する取付けユニットに関するものである。
【背景技術】
【０００２】
従来、ガーグルベースンとして、以下のようなものが見られる。図４に特許文献１から引用してその図を示す。図４に形状が示されているので、特に説明を省略するが、現状、使われているものの欠点として、以下のことがあった。患者が容器の内側に吐瀉物を吐き出すときに、顔面のある側とは反対側の容器壁を超えて吐瀉物が容器の外に漏れ出てしまうことである。このことは、特に、ガーグルベースンの両側の容器壁間の距離が短い場合に起きやすい。又、患者が勢いよく吐瀉物を噴き出した場合に起きやすいことがあった。４−Ａには、従来のガーグルベースンの形状、４−Ｂには、患者が使用した場合の状況を頭部の曲がり具合の二通りで示し、特に、吐瀉物を噴き出す場合に、余裕がなく噴き出してしまう場合は、頭部が立っている場合が多くなり、吐瀉物の容器外への漏れが出やすくなる。
【先行技術文献】
【特許文献】
【０００３】
【特許文献１】実用新案登録第３０７３９４１号
【考案の概要】
【考案が解決しようとする課題】
【０００４】
本願の課題は、上記の欠点を回避して、吐瀉物が、容器の顔面のある側とは反対側の容器壁の外に漏れ出ない、又は、漏れ出にくい構造のガーグルベースン又は取り付け・外し自在の取付けユニットを提供することである。
【課題を解決するための手段】
【０００５】
以下請求項に沿い記述する。
請求項１記載の考案は、ガーグルベースンであって、
患者の顔面に近い側の容器壁を第一容器壁とし、前記顔面のある側とは遠い反対側の容器壁を第二容器壁とし、前記第一容器壁と前記第二容器壁との間は、二つの側面にある壁である側面壁で繋がり、前記第一容器壁と前記第二容器壁と前記側面壁は底側となる底壁で繋がり、上側は開口しているガーグルベースン容器において、
前記第二容器壁の高さは前記第一容器壁の高さより高く構成されていることを特徴とする。
【０００６】
請求項２記載の考案は、請求項１記載のガーグルベースンにおいて、
前記第二容器壁の前記第一容器壁より高さが高くなった所に、垂直状態ではなく、前記第二容器壁の上にいくほど容器の内側に向けて曲がった、「く」の字形状部を備えることで、前記患者の吐瀉物の第二容器壁外への漏れと、前記患者への跳ね返りを防止したことを特徴とする。
【０００７】
請求項３記載の考案は、請求項１又は請求項２記載のガーグルベースン用の取付けユニットであって、前記第二容器壁の上部側となる上部構成部と、前記上部構成部の下端に取付け部とを備えたものであって、前記第二容器壁の下部側となる下部構成部の上端に前記取り付け部を取付け・取外し自在に取付けることで前記第二容器壁全体を構成することに供するためのものであることを特徴とする。
【考案の効果】
【０００８】
以上の様に構成されているので、本考案によるガーグルベースンでは、患者の吐瀉物を容器の外に漏らさず、患者への跳ね返りも防止することができる。
【図面の簡単な説明】
【０００９】
【図１】本考案にかかるガーグルベースンの一実施態様を示す図である。
【図２】本考案にかかる ガーグルベースンの使用状況の一実施態様を示す図である。
【図３】本考案にかかるガーグルベースンの他の実施態様を示す図である。
【図４】従来のガーグルベースンの例を示す図である。
【考案を実施するための形態】
【００１０】
以下本願では、ガーグルベースンの容器に付いて、使用時に、患者の顔面に近い側の容器壁とある方を第一容器壁１１０といい、顔面のある側とは遠い反対側の容器壁となる方を第二容器壁１２０ということとする。勿論、第一容器壁１１０と第二容器壁１２０との間は、二つの側面にある壁（以下、側面壁１３０という）で繋がり、第一容器壁１１０と第二容器壁１２０と側面壁１３０を繋いで底側となる底壁１４０があり、上側は開口しているのは承知の通りである。そして、従来のガーグルベースン容器では、第一容器壁１１０と第二容器壁１２０の壁の高さは同じ高さであった。
本願では、１−Ａの斜視図、１−Ｂの断面図に示すように、第二容器壁１２０の高さは第一容器壁１１０の高さより高く構成され、１−Ｂで明確に分かるように、高くなった第二容器壁１２０の上部が、垂直状態ではなく、前記第二容器壁の上にいくほど容器の内側に向けて曲がった、「く」の字形状部１２１（「く」の字状の形状又はこれに近い形状ということで、以後この記述を使用）を有し、更に好ましくは、更に内側に曲がった折返し部を持っていることである。高さの差は、約２ｃｍから１２ｃｍ、好ましくは５ｃｍから１０ｃｍがよい。
当然、小さいと効果が少なく、大きいと吐瀉物が外に飛び出すことは回避できるが、逆に使いづらく、保管時に欠点となる。「く」の字形状部１２１の曲げがあると、吐瀉物が第二容器壁１２０の面に当たったときに、第二容器壁１２０の面の下側に向かって、「く」の字の形状に沿うか、又は、反射していく、吐瀉物が多くなるためである。そのことで、患者へ向かう跳ね返りを防止できるからである。尚、内側突出部は、容器外への漏れをさらに防止するが、保管時の複数の重ねをする場合は邪魔なのでない方が良い場合もある。
【００１１】
図２は、本考案にかかるガーグルベースンの使用状況の一実施態様を示す図である。
２−Ａは、第二容器壁１２０の高さは第一容器壁１１０の高さより高く構成されているが、「く」の字の形状になってない場合で頭部が傾いている場合、２−Ｂは、「く」の字の形状になっていて、頭部が傾いている場合、２−Ｃは、「く」の字の形状になっていて、頭部が傾いていない場合の状況を示す。図４の４−Ｂに比べて、壁の高さの差で、外への漏れ出しを防止することに利点があり、「く」の字の形状部１２１がある２−Ｂ、２−Ｃでは、患者への跳ね返りを防止して衛生面で利点がある。
【００１２】
図３は、本考案にかかるガーグルベースンの他の実施態様を示す図である。
３−Ａ−１には、従来のガーグルベースン、３−Ａ−２には、その断面図を示す。３−Ｂ−１には、「く」の字の形状部１２１を取り付け・外し自在に構成するための取付けユニットを示し、３−Ｂ−２には断面図を示す。３−Ｂ−１は、３−Ｂ−２より見やすさを考慮して大きく描いたものである。取付けユニット３１０は、「く」の字の形状部１２１とその下部に取付け部３１１を有し、取付け部３１１により取付けることで第二容器壁１２０全体を構成する。尚、「く」の字の形状部１２１は、吐瀉物をブロックする為には横の広さも必要であるが、３−Ｂ−１に矢印で示すように、取付け部３１１は、取付ければ良いので、広さは特に必要がなく、安定に取付けられる程度に狭くてもよい。尚、「く」の字の形状部１２１の先端には、内側突出部３１２は、吐瀉物の外への漏れと患者への跳ね返りを防止するので有効であるが、取付けユニット３１０の場合は、保管時は、外されそれ自体で保管することができるので、邪魔になる心配は少ない。３−Ｃ−１と３−Ｃ−２では、取付けユニット３１０を合体して取付けた状態を示す。
【産業上の利用可能性】
【００１３】
以上のように本考案にかかるガーグルベースンと取付けユニットは、患者の吐瀉物を容器の外に漏らさず、患者への跳ね返りも防止するので産業上利用して極めて好都合である。
【００１４】
１１０  第一容器壁
１２０  第二容器壁
１３０  側面壁
１４０  底壁
１２１  「く」の字形状部
３１０  取付けユニット
３１１  取付け部
３１２  内側突出部
【図１】
0003233363.tif 000003
【図２】
0003233363.tif 000004
【図３】
0003233363.tif 000005
【図４】
0003233363.tif 000006